(57)【要約】【課題】火災発生時において、障子の縦框と横框との間を隙間を生じた場合であっても、その隙間を通しての熱風や火炎の通過が防止され、延焼防止機能を向上させた窓の防火構造を提供する。【解決手段】障子７の縦框８とホロー部１０ｅを有する横框１０との結合部に、火災発生時に加熱により発泡して、縦框８と横框１０との間に生じた隙間を閉塞する加熱発泡材６３，６４を設ける。【選択図】図７
2015042801.tif 000002
【特許請求の範囲】
【請求項１】
障子の縦框と横框との結合部に、火災発生時に加熱により発泡して縦框と横框との間に生じた隙間を閉塞する加熱発泡材を設けたことを特徴とする窓の防火構造。
【請求項２】
請求項１に記載の窓の防火構造において、
前記横框はホロー部を有し、
前記ホロー部内に横框の補強材である芯材を取付け、前記芯材の少なくとも一端部に前記ホロー部内を閉塞する構造の折曲部を形成し、前記折曲部の縦框に対向する面に加熱発泡材を設けたことを特徴とする窓の防火構造。
【請求項３】
請求項１または２に記載の窓の防火構造において、
前記窓が辷り出し窓であり、かつ前記加熱発泡材を設ける結合部が、縦框と下框との間の結合部であることを特徴とする窓の防火構造。
【請求項４】
請求項１から３までのいずれか1項に記載の窓の防火構造において、
前記障子を取付ける窓枠のうち、障子の室内側に設ける部分を樹脂製枠とし、室内側から見て、前記樹脂製枠により障子の框が隠れる構造としたことを特徴とする窓の防火構造。
【発明の詳細な説明】
【技術分野】
【０００１】
本発明は、住宅等の建物に設置される窓の防火構造に係わり、より詳しくは、火災発生時に熱により生じる障子の縦框と横框との間の隙間から室内側に熱風や火炎が侵入することを防止して延焼を防止する防火構造に関する。
【背景技術】
【０００２】
特許文献１には、下枠に取付けるハンドルを回動させることにより、障子を開閉する横辷り出し窓が開示されている。この横辷り出し窓は、障子のガラスパネルの荷重を下框で受ける構成を有する。
【先行技術文献】
【特許文献】
【０００３】
【特許文献１】特開２００８−２９１４６７号公報
【発明の概要】
【発明が解決しようとする課題】
【０００４】
しかしながら、このような窓において、隣接する家屋等に火災が発生した場合、障子の框や窓枠の中央部が熱膨張により外側に変形すると、障子の縦框と横框との結合が緩み、両者の間の隙間が発生する。このように障子の縦框と横框の間に隙間が生じると、火炎や熱風がこの隙間から室内に侵入し、延焼が起こりやすくなるという問題点がある。特に、ガラスパネルの荷重を障子の下框で受ける構造においては、ガラスパネルの荷重が下框にかかるため、下框と縦框との間に隙間が生じやすい。
【０００５】
また、窓の断熱性や結露防止のため、窓枠の室内側に樹脂製の枠を設ける場合、外部から縦框と横框との間の隙間から侵入する熱風や火炎によって樹脂製の枠が溶解して障子の支持力が低下し、ますます延焼を生じやすい状態となる。
【０００６】
本発明は、上記問題点に鑑み、火災発生時において、障子の框、窓枠またはガラスパネルの変形によって障子の縦框と横框との間を隙間を生じた場合であっても、その隙間を通しての熱風や火炎の通過が防止され、延焼防止機能を向上させた窓の防火構造を提供することを目的とする。
【課題を解決するための手段】
【０００７】
請求項１の窓の防火構造は、
障子の縦框と横框との結合部に、火災発生時に加熱により発泡して縦框と横框との間に生じた隙間を閉塞する加熱発泡材を設けたことを特徴とする。
【０００８】
請求項２の窓の防火構造は、請求項１に記載の窓の防火構造において、
前記横框はホロー部を有し、
前記ホロー部内に横框の補強材である芯材を取付け、前記芯材の少なくとも一端部に前記ホロー部内を閉塞する構造の折曲部を形成し、前記折曲部の縦框に対向する面に加熱発泡材を設けたことを特徴とする。
【０００９】
請求項３の窓の防火構造は、請求項１または２に記載の窓の防火構造において、
前記窓が辷り出し窓であり、かつ前記加熱発泡材を設ける結合部が、縦框と下框との間の結合部であることを特徴とする。
【００１０】
請求項４の窓の防火構造は、請求項１から３までのいずれか1項に記載の窓の防火構造において、
前記障子を取付ける窓枠のうち、障子の室内側に設ける部分を樹脂製枠とし、室内側から見て、前記樹脂製枠により障子の框が隠れる構造としたことを特徴とする。
【発明の効果】
【００１１】
請求項１の発明によれば、縦框と横框との結合部に加熱発泡材を設けたので、火災発生時に加熱により框やガラスパネルが変形し、縦框と横框との間に隙間が発生しても、加熱発泡材が発泡して隙間が膨張した発泡体で閉塞される。このため、熱風や火炎が室内側に侵入することが発泡体によって防止され、延焼が防止される。
【００１２】
請求項２の発明によれば、ホロー部内に横框の補強材である芯材を取付け、芯材の少なくとも一端部に前記ホロー部内を閉塞する構造の折曲部を形成し、折曲部の縦框に対向する面に加熱発泡材を設けたので、芯材が横框の補強の役目をして框の変形を抑制し、結合部における隙間拡大の抑制に寄与する。また、加熱発泡材の熱膨張の際に、発泡体の発泡方向がホロー部内においては芯材の折曲部で閉塞され、縦框と横框との結合部に集中するので、加熱発泡材を隙間閉塞に無駄なく寄与させることができる。また、芯材側に加熱発泡材を設けたので、縦框と横框との間に加熱発泡材が挟持されるおそれがなく、製造上有利となる。
【００１３】
請求項３の発明は、辷り出し窓の縦框と下框との間の結合部に加熱発泡材を設けたものであり、辷り出し窓は、ガラスパネルの荷重を下框で受ける構成であるため、火災発生時に框の熱変形以外にガラスパネルの荷重が下框に加わり、縦框と下框との結合部に隙間が生じやすくなる。このため、隙間を加熱発泡材の発泡によって閉塞することが防火の上で重要な効果を発揮する。
【００１４】
請求項４の発明によれば、障子の室内側に設ける部分を樹脂製枠とし、室内側から見て、樹脂製枠により障子の框が隠れる構造としたものであり、この障子の框が樹脂製枠により隠されることにより、断熱性や結露防止構造が優れた窓が構成される。また、このように、断熱性や結露防止構造が優れた窓においても、縦框と横框の結合部に設けた加熱発泡材の発泡によって熱風や火炎の影響を低減し、樹脂製枠の溶解を防止したり溶解を遅らせることにより、防火性能に優れた窓を実現することが可能となる。
【図面の簡単な説明】
【００１５】
【図１】本発明の窓の防火構造の一実施の形態である縦辷り出し窓を示す縦断面図である。
【図２】図１の縦辷り出し窓の横断面図である。
【図３】図１、図２の縦辷り出し窓の開閉機構を示す平面図である。
【図４】図１の拡大断面図である。
【図５】図４の要部拡大断面図である。
【図６】この実施の形態で設けた芯材の一部を示す斜視図である。
【図７】この実施の形態における下框および縦框の下部を室外側から見た図である。
【図８】この実施の形態における下框と縦框との結合部での加熱発泡材の発泡状態を示す断面図である。
【図９】本発明の窓の防火構造の他の実施の形態である横辷り出し窓を示す縦断面図である。
【図１０】図９の横辷り出し窓の横断面図である。
【図１１】図９，図１０の横辷り出し窓の開閉機構を示す平面図である。
【図１２】図９，図１０の横辷り出し窓の開閉機構を示す側面図である。
【図１３】本発明の窓の防火構造の他の実施の形態である嵌め殺し窓を示す縦断面図である。
【図１４】図１３の嵌め殺し窓の横断面図である。
【発明を実施するための形態】
【００１６】
図１は本発明の窓の一実施の形態を示す縦辷り出し窓の縦断面図、図２はその横断面図である。図１および図２において、１は左右の縦枠、２，３はそれぞれ上枠、下枠として備えた横枠である。この縦枠１および横枠２，３はアルミニウム合金等の金属製押出形材により構成される。４，５，６はそれぞれ縦枠１，横枠２，３の室外側に組み付けられて断熱性を高める合成樹脂製押出形材でなる樹脂製枠であり、それぞれ縦枠１および横枠２，３の一部をなすものである。縦枠１，横枠２，３および樹脂製枠4〜６により枠体Ｆが構成される。
【００１７】
図１において、３５，３６はそれぞれ建物開口部３７の基枠を構成する窓台とまぐさである。３８は窓台３５上にカイ木３９を介して設置された額縁、４０はまぐさ３６の下にカイ木４１を介して取付けられた額縁である。図２において、４２は窓台３５やまぐさ３６と共に建物開口部３７の基枠を構成する左右の柱、４３はこれらの柱４２にカイ木４４を介して設置された額縁である。これら４周の額縁３８，４０，４３，４３により建物開口部３７の内周面を構成し、これらの額縁３８，４０，４３，４３およびカイ木３９，４１，４４，４４と、窓台３５、まぐさ３６および柱４２，４２とにより、建物開口部３７の室外側に凹み部４５を構成する。そしてこの凹み部４５を形成する壁面に枠体Ｆの室内側見付け面を当ててねじ等の固定具４６により固定する。そして室内側から見ると、枠体Ｆは額縁３８，４０，４３，４３や内装材４７によって隠された構造とする。４８は胴縁、４９は外装材である。
【００１８】
枠体Ｆ内に収容される障子７は、縦辷り出し窓を構成するものであり、アルミニウム合金製押出形材等の金属製押出形材でなる左右の縦框８，８、上框９および下框１０とで矩形に構成された枠内に、グレージングチャンネル１１を介して、網入りガラスパネルでなる室内側ガラスパネル１２と、室外側ガラスパネル１３とによりなる２重パネルを組み込んで構成したものである。ただし本発明は単層パネルにも適用可能である。１４は樹脂製枠4〜６を枠体として構成した網戸である。
【００１９】
図１において、１６は障子７の上框９と上枠２との間に設けた吊元の支持機構、１７は障子７の下框１０と下枠３との間に設けた吊元の支持機構である。１８は下枠３に螺子等の固定具１９により取付けたブラケット、２０はこのブラケット１８に取付けた障子開閉用のハンドルである。２１は障子７を開閉するための後述の中継アームである。６０は下框３のホロー部内に取付けた芯材、６３はこの芯材に取付けた加熱発泡材であり、これらの構造については後述する。
【００２０】
図３は障子７の開閉機構を示す平面図であり、障子７が開いた状態で示す。図３において、２０ａはハンドル２０の回動軸に固定して取付けた歯車、２２は操作アームであり、この操作アーム２２はブラケット１８に設けたピン２３を中心として回動可能に取付ける。操作アーム２２の根本部には歯車２０ａに噛合する歯車２２ａを固定して設ける。操作アーム２２はその先端を中継アーム２１の一端にピン２４により回動可能に連結する。中継アーム２１の他端は、下框１０の室内側側面に取付けたブラケット２５にピン２６により回動可能に連結する。
【００２１】
２７，２８はそれぞれ下枠３と障子７の下框１０との間に設ける第１、第２のリンクであり、障子７の下側の開閉駆動側の支持機構１７を構成するものである。第１のリンク２７は、その一端を下枠３にピン２９により回動可能に連結し、他端を下框１０の下面にピン３０により回動可能に連結する。第２のリンク２８は一端に回動可能に設けたスライダ２８ａを、下枠３に取付けた鋼材でなるガイド部材３１に沿って摺動可能に係合させ、他端を下框１０にピン３２により回動可能に連結する。上枠２と上框９との間の支持機構１６は従動側の支持機構であり、アーム２１，２２を備えていない点以外は、支持機構１７のガイド部材３１やリンク２７，１８と同様の構造で構成される。
【００２２】
図３において、ハンドル２０を矢印Ｒ１の方向に回わすと、歯車２０ａ，２２ａの噛合により、操作アーム２２がＲ２の方向に回動するので、障子７は中継アーム２１により矢印Ｘ１の方向に引っ張られる。これにより、第１のリンク２７はピン２９を中心として矢印Ｒ３の方向に回動して、障子７は矢印Ｘ１の方向に移動すると同時に、矢印Ｒ４の方向に回動し、障子７が図示のように開く。このとき、第２のリンク２８は、スライダ２８ａがガイド部材３１にガイドされて矢印Ｘ２に示すように移動しながら障子７の吊元側を支持する。ハンドルを矢印Ｒ１の反対側に回すと、前記と逆の動きにより、障子７が閉じる。
【００２３】
図４は図１における下枠３および下框１０の部分を拡大して示す断面図である。３ａは障子７を開閉するための操作部材である操作アーム２２や中継アーム２１を収容するために設けた開口溝であり、この開口溝３ａは、障子７の下框１０の室内側に開口面が対向するように形成する。３ｂは開口溝３ａを形成するために下枠３に形成した立上部である。５０はこの立上部３ｂに貼り付けてねじ４９により固定した加熱発泡材である。５１は下枠３の開口溝３ａ形成部の室外側に取付けたゴム製の乾式シール材であり、下框１０の室内側の面を当接させて気密性を維持するものである。
【００２４】
図４において、３ｄは障子７の下框１０の下面に対向する下枠３の下框対面部、３ｅはこの下框対面部３ｄの室内側に設けた立上部である。５２はこの立上部３ｅに貼り付けた加熱発泡材である。３ｆ，３ｇは加熱発泡材５２を外れ止めするために下框対面部３ｄと立上部３ｅにそれぞれ形成した係止突起である。この加熱発泡材５２は、下枠３の全長にわたって取付ける。
【００２５】
図４において、１０ａは下枠３の下框対面部３ｄの室外側端部を室外側から覆うように下框１０に設けた垂下板部である。５３はこの垂下板部１０ａにおける室内側の面、すなわち立上部３ｅに対向する面に貼り付けた加熱発泡材である。この加熱発泡材５３は下框１０の全長にわたって設ける。１０ｂ，１０ｃは加熱発泡材５３を外れ止めするためにそれぞれ垂下板部１０ａと下框１０に形成した係止突起である。
【００２６】
図５は図４の要部拡大断面図、図６は下框１０のホロー部１０ｅ内に取付ける芯材６０の一部を示す斜視図、図７は下框１０および縦框８の下部を室外側から見た図である。図５において、１０ｄはガラスパネル１２，１３を装着する溝形成部、１０ｅはその溝形成部１０ｄの下に形成されたホロー部（中空部）である。ホロー部１０ｅ内に取付ける芯材６０は、図５、図６に示すように、上板部６０ａと下板部６０ｂとを有して短手方向の断面がコ字形をなすもので、下框３の長さよりやや短い長さを有する。
【００２７】
この芯材６０は、図５、図７に示すように、ホロー部１０ｅ内に嵌合して上下方向および前後方向の移動を規制する。芯材６０の長手方向の固定は、ホロー部１０ｅの底板部に設けたねじ孔１０ｆに下方からねじ６２を螺合し、このねじ６２を、芯材６０の下板部６０ｂに設けた貫通孔６０ｃに挿着すると共に、ホロー部１０ｅの天板部に設けたタッピングホール１０ｇにねじ込んだタッピングねじ６１により、芯材６０の両端部で固定する。ただし、タッピングねじ６１については片側のもののみを示している。
【００２８】
６０ｄは芯材６０の他端部、すなわち障子７の自由端側の端部に設けた折曲部であり、この折曲部６０ｄは、図７に示すように、縦框８の下框当接板部８ａに対面する。６３はこの折曲部６０ｄの下框当接板部８ａに対向する面に固着した加熱発泡材である。６４は芯材６０の折曲部６０ｄ形成側端部における上板部６０ａ上に固着した加熱発泡材である。
【００２９】
この実施の形態においては、上述のように、加熱発泡材６３，６４を縦框８と下框１０との結合部に設けたので、外部で火災が発生し、熱風や火炎が障子７に作用し、框８〜１０やガラスパネル１２，１３の熱膨張や変形により、図８に示すように、縦框８と下框１０との間に隙間ｇが発生しても、加熱発泡材６３，６４の発泡によってこの隙間ｇに発泡体６６が充填されてこの隙間ｇを閉塞する。このため、熱風や火炎の侵入がこの発泡体６６により阻止され、延焼が防止される。
【００３０】
なお、この実施の形態においては、加熱発泡材６３，６４は芯材６０の障子７の自由端側端部にのみ設けたが、障子７の吊元側の芯材６０の端部にも加熱発泡材を設けてもよい。ただし、図２に示すように、障子７を閉じている時に縦框８の外側への反りを防止するため、障子７の吊元側端部には、縦框１に鋼材でなる反り防止金具６７を取付け、縦框８にはこれが外側に反った際に、反り防止金具６７に当接させる金具６８を取付けているので、火災発生時にも吊元側の縦框８の反りを抑制することができ、その分、縦框８と下框１０との結合部が外れにくくなる。このためにこの実施の形態においては、吊元側については縦框８と下框１０との結合部に隙間が発生しにくくなり、加熱発泡材を設けていないが、この吊元側の縦框８と下框１０との結合部にも加熱発泡材を設けてもよい。
【００３１】
また、加熱発泡材は縦框８の下框当接板部８ａに設けてもよいが、しかしながら、下框当接板部８ａに加熱発泡材を設けると、縦框８に下框１０を組み合わせる際に、縦框８の下框当接板部８ａと下框１０の端部との間に加熱発泡材が挟まり、寸法精度を損なったり、框８，１０どうしの結合強度を損なったりするおそれがあり、加熱発泡材の高精度の貼り付け位置精度が要求される。
【００３２】
一方、この実施の形態のように、芯材６０の折曲部６０ｄに加熱発泡材６３を設けることにより、このような位置精度が要求されず、製造上有利になるとともに、下框１０のホロー部１０ｅと芯材６０の折曲部６０ｄと縦框８の下框当接板部８ａとで１つの部屋を構成し、この部屋で加熱発泡材６３を発泡させるので、発泡体６６の発泡位置が縦框８と下框１０との結合部に集中させることができ、加熱発泡材６３を隙間閉塞に無駄なく寄与させることができる。このため、加熱発泡材６３のサイズを小さくすることができるので、経済的となる。
【００３３】
また、加熱発泡材６３のサイズを小さくするには、芯材６０の代わりに加熱発泡材６３が発泡の際にホロー部１０ｅ内に拡散することを防止する金具を取付けてもよいが、芯材６０を設けることにより、芯材６０が下框１０の補強の役目をして下框１０の変形を抑制し、結合部における隙間拡大の抑制、ひいては防火性能の向上に寄与する。
【００３４】
また、本発明は、縦框８と上框９との結合部に加熱発泡材を設けてもよいが、この実施の形態は、縦辷り出し窓の縦框８と下框１０との間の結合部に加熱発泡材を設けたものであり、辷り出し窓は、ガラスパネル１２，１３の荷重を下框１０で受ける構成であるため、火災発生時に框８〜１０の熱変形以外にガラスパネル１２，１３の荷重が下框１０に加わるため、縦框８と下框１０との結合部に隙間が生じやすくなる。このため、隙間を加熱発泡材６３，６４の発泡によって閉塞することが防火の上で重要な効果を発揮する。
【００３５】
また、この実施の形態においては、障子７の室内側に設ける部分を樹脂製枠４〜６とし、室内側から見て、樹脂製枠４〜６により障子７の框８〜１０が隠れる構造としたものであり、この障子７の框８〜１０が樹脂製枠４〜６により隠されることにより、断熱性や結露防止構造が優れた窓が構成される。また、このように、断熱性や結露防止構造が優れた窓においても、縦框８と下框１０の結合部に設けた加熱発泡材６３，６４の発泡によって熱風や火炎の影響を低減し、樹脂製枠４〜６の溶解を防止したり溶解を遅らせることにより、防火性能に優れた窓を実現することが可能となる。
【００３６】
また、この実施の形態においては、下枠３と下框１０との間にも加熱発泡材５０，５２，５３を設けたので、火災発生時に下枠３と下框１０との間も発泡体により充填される。このため、下枠３と下框１０との間に隙間が発生しても、熱風や火炎が遮断され、室内側への延焼がよりよく防止される。
【００３７】
図９〜図１２は本発明の防火構造の他の実施の形態であり、本発明を横辷り出し窓に適用した例である。図９は横辷り出し窓の縦断面図、図１０はその横断面図である。また、図１１は障子７を開いた状態を示す平面図、図１２はその側面図である。
【００３８】
図９ないし図１２において、図1ないし図８と同じ符号は同じ機能を発揮する部材である。この実施の形態においても、下枠３は開口溝３ａを有し、障子７を閉じた状態において、開口溝３ａの中に操作部材である操作アーム２２Ｘ、中継アーム２１Ｘを収容する。図１１に示すように、操作アーム２２Ｘはピン２３によりブラケット１８に回動可能に取付ける。操作アーム２２Ｘはその根本部に、ハンドル２０に設けた歯車２０ａと噛合する歯車２２ａを有する。図１１に示すように、中継アーム２１Ｘは下枠３にピン５７を中心に回動可能に取付ける。操作アーム２２Ｘの先端を中継アーム２１Ｘの根本部近傍にピン５８により回動可能に連結する。中継アーム２１Ｘの先端をピン５９により障子７の下框１０に回動可能に連結する。
【００３９】
図１２において、２７Ｘ，２８Ｘはそれぞれ左右の縦枠１と障子７の左右の縦框８との間に設ける第１、第２のリンクである。第１のリンク２７Ｘは、その一端を縦枠１にピン２９Ｘにより回動可能に連結し、他端を縦框８の側面にピン３０Ｘにより回動可能に連結する。第２のリンク２８Ｘは、その一端を縦枠１に取付けた鋼材でなる取付け部材３１Ｘにピン２８ｂにより回動可能に連結し、他端を縦框８にピン３２Ｘにより回動可能に連結する。
【００４０】
図１１において、ハンドル２０を矢印Ｒ１の方向に回動すると、操作アーム２２Ｘが矢印Ｒ２の方向に回動し、これにより、中継アーム２１Ｘはピン５７を中心として矢印Ｒ３の方向に回動して障子７が開く。このように、障子７が開くとき、図１２において、第１のリンク２７Ｘはピン２９Ｘを中心として矢印Ｒ４に示すように回動すると共に、第２のリンク２８Ｘもピン２８ｂを中心として矢印Ｒ４に示すように回動しながら障子７が矢印Ｒ５に示すように開く。
【００４１】
この横辷り出し窓においても、加熱発泡材６３を設けたことにより、縦辷り出し窓について説明したように、防火性能を向上させることができ、延焼防止効果が上がる。
【００４２】
しかしながら、本発明はこのような辷り出し窓のみならず、図１３の縦断面図および図１４の横断面図に示す嵌め殺し窓においても同様の構造によって防火性能を高めることが可能である。この図１３、図１４において、図１〜図１２と同じ符号は同じ機能を発揮する部材を示す。この嵌め殺し窓は、障子７の框８〜１０が枠Ｆに固定して取付けられる。この嵌め殺し窓は、辷り出し窓と並設されて障子７の上下幅を揃えて意匠性を高めるため、嵌め殺し窓と辷り出し窓で上下幅を統一して構成するものである。
【００４３】
このような嵌め殺し窓においても、加熱発泡材６３あるいはさらに加熱発泡材６４を設けることにより、これらが発泡して防火性を向上させることができる。なお、この嵌め殺し窓は、辷り出し窓と並設することなく嵌め殺し窓のみ並設するかあるいは独立に設置するものであっても、辷り出し窓と共通の製造設備を用いて製造された框や枠等で嵌め殺し窓を構成する場合にも適用することができる。
【００４４】
以上本発明を実施の形態により説明したが、本発明を実施する場合、本発明の要旨を逸脱しない範囲において、辷り出し窓の開閉機構や窓枠および框等の構成部材やその組み合わせについて、種々の変更、付加が可能である。
【符号の説明】
【００４５】
１：縦枠、２：上枠、３：下枠、４〜６：樹脂製枠、７：障子、８：縦框、９：上框、１０：下框、１０ｅ：ホロー部、１２，１３：ガラスパネル、６０：芯材、６０ｄ：折曲部、６３，６４：加熱発泡材、６６：発泡体、Ｆ：窓枠
【図１】
2015042801.tif 000003
【図２】
2015042801.tif 000004
【図３】
2015042801.tif 000005
【図４】
2015042801.tif 000006
【図５】
2015042801.tif 000007
【図６】
2015042801.tif 000008
【図７】
2015042801.tif 000009
【図８】
2015042801.tif 000010
【図９】
2015042801.tif 000011
【図１０】
2015042801.tif 000012
【図１１】
2015042801.tif 000013
【図１２】
2015042801.tif 000014
【図１３】
2015042801.tif 000015
【図１４】
2015042801.tif 000016